(57)【要約】【課題】外観を損なうことなく簡単に幕板を取り付けることを可能にするレンジフードを提供することを目的とする。【解決手段】フード１１と、フード１１の上部に設けられファン３２が内蔵されるレンジフード本体１２と、フード１１の上方においてレンジフード本体１２を覆う幕板１３，１４とを備え、幕板１３，１４とレンジフード本体１２との一方が、幕板１３，１４の板面に沿った方向に開放しかつ当該板面に垂直な方向に閉じた溝部４５，５７を有する係合部４６，５８を備え、他方が、幕板１３，１４の板面に沿った方向への移動により溝部４５，５７に挿入されかつ係合部４６，５８に係合する被係合部４８，６２を備えている、レンジフード。【選択図】図１３
2018115824.tif 000002
【特許請求の範囲】
【請求項１】
フードと、フードの上部に設けられファンが内蔵されるレンジフード本体と、フードの上側においてレンジフード本体を覆う幕板とを備え、
前記幕板と前記レンジフード本体との一方が、前記幕板の板面に沿った方向に開放しかつ前記板面に垂直な方向に閉じた溝部を有する係合部を備え、他方が、前記幕板の板面に沿った方向への移動により前記溝部に挿入されかつ前記係合部に係合する被係合部を備えている、レンジフード。
【請求項２】
前記被係合部が、前記幕板の上方への移動によって前記係合部に係合し、レンジフードは、上方へ移動した前記幕板の下端と前記フードとの間に挿入されるスペーサ部材を更に備えている、請求項１に記載のレンジフード。
【請求項３】
前記被係合部が、前記幕板の水平移動によって前記係合部に係合する、請求項１に記載のレンジフード。
【請求項４】
前記幕板が、前記レンジフード本体の側方を覆う第１の幕板と、前記レンジフード本体の前方を覆う第２の幕板とを含み、
前記係合部及び前記被係合部が、
前記第１の幕板と前記レンジフード本体との一方に備わった第１の係合部と、他方に備わった第１の被係合部と、
前記第２の幕板と前記レンジフード本体との一方に備わった第２の係合部と、他方に備わった第２の被係合部とからなり、
前記第１の被係合部が、前記第１の幕板の水平移動によって前記第１の係合部に係合し、
前記第２の被係合部が、前記第２の幕板の上方への移動によって前記第２の係合部に係合する、請求項１に記載のレンジフード。
【請求項５】
前記第１の幕板の水平方向の端面が前記第２の幕板に対して突き合わされ、前記第１の幕板の前記端面には、前記第２の係合部又は前記第２の被係合部が設けられている、請求項４に記載のレンジフード。
【請求項６】
レンジフードにおけるフードの上側にレンジフード本体を覆う幕板を取り付ける方法であって、
前記幕板を上方へ移動させることによって、前記幕板と前記レンジフード本体との一方に設けられた係合部に、同他方に設けられた被係合部を係合させる工程と、
前記幕板の下端と前記フードとの間に形成された隙間にスペーサ部材を挿入する工程と、を含む、レンジフードにおける幕板の取付方法。
【発明の詳細な説明】
【技術分野】
【０００１】
この発明は、キッチンの加熱調理器等の上方に配置されるレンジフード、及び、レンジフードにおける幕板の取付方法に関する。
【背景技術】
【０００２】
レンジフードは、調理時にキッチンの加熱調理器より生じる油煙等を屋外へ排出するため、加熱調理器の上方に設置されている。かかるレンジフードとして、天井近傍の壁面に固定して設置される壁面固定型のものが知られている。
例えば、特許文献１に記載されたレンジフードは、ファン等を収容したレンジフード本体と、レンジフード本体の下部に設けられ、加熱調理器を上方から覆うフードとを備えている。また、レンジフード本体は、外部に露出しないようにその前方が幕板によって覆われ、左右両側が吊り戸棚で覆われている。
【先行技術文献】
【特許文献】
【０００３】
【特許文献１】特開２０１０−１０１５２９号公報
【発明の概要】
【発明が解決しようとする課題】
【０００４】
レンジフードの幕板は、フードと天井との間に配置されるため、設置のための作業空間が制限される。そのため、できるだけ簡単な方法で設置できるように構成することが望まれている。
特許文献１記載の幕板は、その下端面がフードの天板に固定ねじにより固定され、上端面が固定ねじにより天井面に固定される。幕板の下端面をフードの上面にねじ止めするためには、フードの天板の下側から固定ねじを回す必要がある。しかし、フードの下部には、空気吸引口を形成した下板や、この空気吸引口の下方に配置された整流板等が設けられているので、フードの天板の下側から固定ねじを回すには下板や整流板を取り外す必要がある。また、レンジフード本体のメンテナンス等のために幕板を取り外す場合にも、フードの下面板や整流板を取り外す必要がある。したがって、これらの作業が非常に繁雑となる。
【０００５】
また、特許文献１記載の技術では、幕板の上端面を天井にねじ止めするために、幕板の前面上部に形成された開口から固定ねじを挿入し、天井に向けて斜めに固定ねじを締め付けている。しかし、幕板の前面に開口が形成されることによって外観が悪化し、斜めに向けて固定ねじを締め付けるために、幕板を適切な姿勢で取り付けることが困難となる。
【０００６】
本発明は、外観を損なうことなく簡単に幕板を取り付けることを可能にするレンジフードを提供することを目的とする。
【課題を解決するための手段】
【０００７】
ある観点に係るレンジフードは、フードと、フードの上部に設けられファンが内蔵されるレンジフード本体と、フードの上側においてレンジフード本体を覆う幕板とを備え、
前記幕板と前記レンジフード本体との一方が、前記幕板の板面に沿った方向に開放しかつ前記板面に垂直な方向に閉じた溝部を有する係合部を備え、他方が、前記幕板の板面に沿った方向への移動により前記溝部に挿入されかつ前記係合部に係合する被係合部を備えている。
【０００８】
この構成によれば、幕板を板面に沿った方向に移動させることで、被係合部を係合部に係合させ、板面に垂直な方向に関して幕板の移動を制限して幕板を位置決めすることができる。そのため、簡単に幕板を取り付けることができるとともに、外観の悪化の原因となるねじ止め用の開口等を幕板の板面に形成する必要もない。
【０００９】
好ましくは、前記被係合部が、前記幕板の上方への移動によって前記係合部に係合し、レンジフードは、上方へ移動した前記幕板の下端と前記フードとの間に挿入されるスペーサ部材を更に備えている。
このような構成によって、例えば幕板の幅方向両側に壁や吊戸棚等があり、幕板の幅方向への移動が困難な場合であっても、レンジフード本体に幕板を簡単に取り付けることができる。また、幕板を天井に接触させたまま移動させなくてもよいので、天井を傷つけてしまうのを防止することができる。
【００１０】
好ましくは、前記被係合部が、前記幕板の水平移動によって前記係合部に係合する。
このような構成によって、被係合部を係合部に係合させるために幕板を持ち上げながら移動させるような動作がなく、より簡単に幕板を取り付けることが可能となる。
【００１１】
好ましくは、前記幕板が、前記レンジフード本体の側方を覆う第１の幕板と、前記レンジフード本体の前方を覆う第２の幕板とを含み、
前記係合部及び前記被係合部が、
前記第１の幕板と前記レンジフード本体との一方に備わった第１の係合部と、他方に備わった第１の被係合部と、
前記第２の幕板と前記レンジフード本体との一方に備わった第２の係合部と、他方に備わった第２の被係合部とからなり、
前記第１の被係合部が、前記第１の幕板の水平移動によって前記第１の係合部に係合し、
前記第２の被係合部が、前記第２の幕板の上方への移動によって前記第２の係合部に係合する。
このような構成によって、第１及び第２の幕板の双方を簡単に取り付けることが可能となる。
【００１２】
好ましくは、前記第１の幕板の水平方向の端面が前記第２の幕板に対して突き合わされ、前記第１の幕板の前記端面には、前記第２の係合部又は前記第２の被係合部が設けられている。
このような構成によって、第１の幕板と第２の幕板とを互いに連結し、相互に支持させることができる。
【００１３】
他の観点に係るレンジフードにおける幕板の取付方法は、
レンジフードにおけるフードの上側にレンジフード本体を覆う幕板を取り付ける方法であって、
前記幕板を上方へ移動させることによって、前記幕板と前記レンジフード本体との一方に設けられた係合部に、同他方に設けられた被係合部を係合させる工程と、
前記幕板の下端と前記フードとの間に形成された隙間にスペーサ部材を挿入する工程と、を含む。
【００１４】
この取付方法によれば、例えば幕板の幅方向両側に壁や吊戸棚等があり、幕板の幅方向への移動が困難な場合であっても、レンジフード本体に幕板を簡単に取り付けることができる。また、幕板を天井に接触させたまま移動させなくてもよいので、天井を傷つけてしまうのを防止することができる。
【発明の効果】
【００１５】
本発明のレンジフードによれば、外観を損なうことなく簡単に幕板を取り付けることが可能となる。
【図面の簡単な説明】
【００１６】
【図１】実施の形態に係るレンジフードを備えたシステムキッチンの正面図である。
【図２】レンジフードの斜視図である。
【図３】レンジフードの側面図である。
【図４】フード及びレンジフード本体の斜視図である。
【図５】第１の取付部材の斜視図である。
【図６】下部ケースに第１の取付部材を取り付けた状態を示す正面図である。
【図７】側面パネルを裏面側から見た斜視図である。
【図８】（ａ）は、爪部材の斜視図であり、（ｂ）は、側面パネルに爪部材を取り付ける様子を示す斜視図である。
【図９】第２の取付部材の正面図である。
【図１０】第２の取付部材の側面図及び前面パネルの断面図である。
【図１１】第２の取付部材の側面図及び前面パネルの断面図である。
【図１２】前面パネルの背面図である。
【図１３】側面パネルを取り付ける様子を示す斜視図である。
【図１４】第１の係合部と第１の被係合部とを係合させる動作を示す説明図である。
【図１５】前面パネルを取り付ける様子を示す斜視図である。
【図１６】前面パネルを取り付ける様子を示す斜視図である。
【図１７】スペーサ部材をフードに固定した状態を示す側面断面図である。
【図１８】第２の係合部と第２の被係合部の変形例を示す側面図である。
【図１９】第１の係合部の変形例を示す側面図である。
【発明を実施するための形態】
【００１７】
以下、図面を参照しながら好ましい実施の形態について説明する。
図１は、実施の形態に係るレンジフードを備えたシステムキッチンの正面図である。
レンジフード１０は、例えばキッチンユニット１の一要素として組み込まれる。キッチンユニット１は、対面カウンター２を備えた対面型のキッチンユニットである。かかるキッチンユニット１は、対面カウンター２と、内部に収納空間が形成され、かつ後面にパネルが設けられたキャビネット部３と、前記収納空間の前面に設けられ、かかる収納空間を開閉する扉４と、キャビネット部３の上部に設けられた天板５と、この天板５に設けられたシンク６と、同じく天板５に設けられたガスコンロやＩＨヒーターなどの加熱調理器７と、加熱調理器７の上方に設けられたレンジフード１０とを備えている。
【００１８】
キッチンユニット１は、加熱調理器７側の側面（図１における右側の側面）が側壁Ｗａに接するように設置されている。また、レンジフード１０の上端は、キッチンの天井９に接触又は接近するように配置されている。
また、キッチンユニット１の背面のうち、加熱調理器７の後方に位置する部分には、油等の拡散を防止するとともに、レンジフード１０による油煙等の捕集効率を向上させるべく、背面パネル８が設けられている。
【００１９】
［レンジフード１０の構成］
図２は、レンジフード１０の斜視図、図３は、レンジフード１０の側面図である。図１〜図３に示すように、レンジフード１０は、油煙等を捕集するフード１１と、このフード１１の上面に設けられたレンジフード本体１２と、レンジフード本体１２の水平方向の外側を覆う化粧パネル（幕板）１３，１４とを有する。
フード１１は、平面視長方形の扁平な板状に形成され、加熱調理器７の上方に配置されている。フード１１は、図２に示すように、外周枠２１と、この外周枠２１の内側に設けられた天面プレート２２とを有している。フード１１の下面には、図示しない空気の吸引口が形成されている。
【００２０】
レンジフード本体１２は、本体ケース３１と、この本体ケース３１内に収容されたファン３２（図１及び図３参照）等を有する。本体ケース３１は、下部ケース３３と、上部ケース３４とからなる。
下部ケース３３は、下方に開放した略直方体の箱形状に形成されている。上部ケース３４も、下方に開放した略直方体の箱形状に形成されている。下部ケース３３は、上部ケース３４よりも上下方向の高さが低く、左右方向の幅が大きい扁平形状に形成されている。下部ケース３３の前後方向の幅（奥行き）は、上部ケース３４の前後方向の幅と略同じか若干これによりも大きく形成されている。上部ケース３４は、下部ケース３３の左右方向の中間部に配置されている。上部ケース３４の下端は、下部ケース３３の上面３３ｂに接続されている。
【００２１】
上部ケース３４の内部にはファン３２が内蔵されている。ファン３２は、例えばシロッコ形のものが用いられる。下部ケース３３の内部には、ファン３２が吸い込んだ空気を通過させるための空間が形成されている。
フード１１は、下部ケース３３の下端に接続されている。フード１１は、下部ケース３３よりも前方に突出している。また、フード１１は、下部ケース３３よりも左右方向の外側へも若干突出している。
【００２２】
加熱調理器７で発生した油煙等は、フード１１の下面の吸引口から吸引され、下部ケース３３内を通ってファン３２に吸引される。ファン３２に吸引された油煙等は、上部ケース３４に接続された図示しないダクトを通って屋外へ排出される。
【００２３】
化粧パネル１３，１４は、レンジフード本体１２の前方を覆う前面パネル（第２の幕板）１３と、レンジフード本体１２の左右側方を覆う側面パネル（第１の幕板）１４とを有する。本実施の形態では、図１に示すように、レンジフード１０の左右一方側（図１における右側）が側壁Ｗａに隣接しているため、側面パネル１４は、レンジフード１０の左右他方側（図１における左側）のみに設けられている。ただし、レンジフード１０の左右一方側が側壁Ｗａや吊戸棚等に隣接していない場合には、同側にも側面パネル１４を設けることができる。レンジフード１０の左右両側が側壁Ｗａや吊戸棚等に隣接している場合には、左右両方の側面パネル１４を省略することもできる。
【００２４】
［化粧パネル１３，１４の取付構造］
図４は、フード１１及びレンジフード本体１２の斜視図である。
レンジフード本体１２における下部ケース３３の側面３３ｃには、側面パネル１４を取り付けるための第１の取付部材４１が設けられている。第１の取付部材４１は、下部ケース３３の前部側と後部側との２箇所に設けられている。また、下部ケース３３の左右両側における前端の上面３３ｂには、前面パネル１３を取り付けるための第２の取付部材５１が設けられている。
【００２５】
（第１の取付部材の構造）
図５は、第１の取付部材４１の斜視図である。第１の取付部材４１は、板材を屈曲することによって構成され、平面視でコの字型に屈曲する本体部４２と、この本体部４２の上部に設けられた取付部４３とを有する。本体部４２は、上下方向に細長い略長方形状に形成された主板４２ａと、主板４２ａの幅方向両側から屈曲する屈曲板４２ｂとを有する。主板４２ａの幅方向両側の上下中央には、屈曲板４２ｂが屈曲する方向とは反対側に切り起こし状に突出する突起部４２ｃが設けられている。一方の屈曲板４２ｂは、主板４２ａよりも上方に延び、その上部を略水平に屈曲させることによって取付部４３を構成する取付板４３ａが形成されている。前記一方の屈曲板４２ｂの主板４２ａよりも上側には、前記突起部４２ｃと同じ方向に突出する突起部４２ｄが設けられている。
【００２６】
図６は、下部ケース３３に第１の取付部材４１を取り付けた状態を示す正面図である。第１の取付部材４１の取付部４３は、下部ケース３３の上面３３ｂにねじ等の固定具４４によって取り付けられる。第１の取付部材４１を下部ケース３３に取り付けた状態では、突起部４２ｃ、４２ｄが下部ケース３３の側面３３ｃに当接し、主板４２ａが前記側面３３ｃに対して略平行な姿勢で隙間をあけて配置されている。主板４２ａの下部側と側面３３ｃとの間の隙間は溝部４５を形成し、第１の取付部材４１と下部ケース３３の側面３３ｃとは、溝部４５を有する第１の係合部４６を構成する。溝部４５は、下方及び前後水平方向に開放し、左右方向及び上方に閉じた形状とされている。
【００２７】
（側面パネル１４の構造）
図７は、側面パネル１４を裏面側から見た斜視図である。側面パネル１４は、長方形状に形成されたパネル本体１４ａと、パネル本体１４ａの外周部においてパネル本体１４ａから裏面側へ屈曲した第１の折り曲げ板１４ｂと、パネル本体１４ａの下部側において第１の折り曲げ板１４ｂからパネル本体１４ａの内側へ向けて屈曲された第２の折り曲げ板１４ｃとを有している。側面パネル１４の下端辺に設けられた第２の折り曲げ板１４ｃには、上方へ突出する突出部１４ｄが幅方向に間隔をあけて２箇所に形成されている。２つの突出部１４ｄの位置は、図４に示すように、レンジフード本体１２側に設けられた２つの第１の係合部４６（第１の取付部材４１）の位置に対応している。そして、突出部１４ｄは、第１の係合部４６に係合する第１の被係合部４８を構成している。
【００２８】
図７に示すように、側面パネル１４の幅方向一端（前端）における第１の折り曲げ板１４ｂの上端部と、上下方向の中途部とには、それぞれ爪部材５６が取り付けられている。
図８（ａ）は、爪部材５６の斜視図であり、図８（ｂ）は、側面パネル１４に爪部材５６を取り付ける様子を示す斜視図である。爪部材５６は、板材を屈曲することにより構成され、平面視でコの字状に形成されている。
【００２９】
爪部材５６は、長方形状の取付板５６ａと、取付板５６ａの幅方向（左右方向）の両端から後方に屈曲する左右一対の爪板５６ｂとを有する。爪板５６ｂは、取付板５６ａよりも下方に延び、その下部に、爪板５６ｂが屈曲する方向とは反対の前方に突出する爪部５６ｃが設けられている。爪部５６ｃは、側面視で略Ｌ字状に形成され、左右方向の両側と下方とに開放しかつ爪部５６ｃが突出する前後方向と上方とに閉じた形状の溝部５７を有している。
【００３０】
そして、この爪部５６ｃは、後述する第２の係合部５８を構成している。図８（ｂ）に示すように、爪部材５６は、一方の爪部５６ｃを側面パネル１４に形成されたスリット１４ｅに挿入し、取付板５６ａを第１の折り曲げ板１４ｂにねじ止めすることによって取り付けられる。
【００３１】
（第２の取付部材５１の構造）
図９は、第２の取付部材５１の正面図、図１０及び図１１は、第２の取付部材５１の側面図及び前面パネル１３の断面図である。
第２の取付部材５１は、下部ケース３３の上面３３ｂから上方に延びる柱部５２と、柱部５２を下部ケース３３に取り付けるための取付部５３とを有する。柱部５２は、平面視コの字形状に形成され、上下方向に細長い略長方形状の主板５２ａと、主板５２ａの左右両側から後方に屈曲された屈曲板５２ｂとを有する。主板５２ａの左右方向の外側には、前方へ向けて切り起こし状に突出する爪部５２ｃが上下２箇所に形成されている。この爪部５２ｃは、前述した爪部材５６における爪部５６ｃと略同じ形状であり、側面視でＬ字状に形成され、左右方向の両側と下方とに開放し、前後方向と上方とに閉じた形状の溝部５７を有している。この爪部５２ｃは、前述した爪部材５６の爪部５６ｃと同様に第２の係合部５８を構成する。
【００３２】
取付部５３は、図９に示すように、左右方向外側の屈曲板５２ｂから下方に延びる第１取付板５３ａと、左右方向内側の屈曲板５２ｂの下端から屈曲する第２取付板５３ｂとを有する。第１取付板５３ａは、下部ケース３３の側面３３ｃに沿って配置され、当該側面３３ｃにねじやリベット等の固定具５４によって固定されている。第２取付板５３ｂは、下部ケース３３の上面３３ｂにねじやリベット等の固定具５４によって固定されている。
【００３３】
（前面パネル１３の構造）
図１２は、前面パネル１３の背面図である。図２、図１０〜図１２に示すように、前面パネル１３は、長方形状に形成されたパネル本体１３ａと、パネル本体１３ａの外周部においてパネル本体１３ａから裏面側へ屈曲した第１の折り曲げ板１３ｂと、第１の折り曲げ板１３ｂからパネル本体１３ａの内側に屈曲された第２の折り曲げ板１３ｃとを有している。前面パネル１３の左右両側における第２の折り曲げ板１３ｃには、前後方向に貫通する差し込み孔１３ｄが複数形成されている。具体的に、差し込み孔１３ｄは、第２の折り曲げ板１３ｃの上部、下部、及び上下中間部に形成されている。各差し込み孔１３ｄは、上下方向に細長い孔であり、かつ下部側が下方先細り状に形成されている。本実施の形態では、差し込み孔１３ｄの下縁部１３ｄ１が、第２の係合部５８に係合する第２の被係合部６２を構成している。
【００３４】
［側面パネル１４の取付方法］
図１３は、側面パネル１４を取り付ける様子を示す斜視図である。図１４は、第１の係合部４６と第１の被係合部４８（突出部１４ｄ）とを係合させる動作を示す説明図である。
側面パネル１４をレンジフード本体１２に取り付けるには、側面パネル１４を起立させた状態で下部ケース３３に接近させ（矢印Ａ参照）、２つの第１の被係合部４８を、それぞれ下部ケース３３に取り付けられた対応する第１の取付部材４１のやや前側に位置付ける。このとき、側面パネル１４の下端面は、フード１１の左右方向の端部上に載置される。そして、図１４に示すように、側面パネル１４を後方（パネル本体１４ａの板面に沿った水平方向；矢印Ｂ方向）へスライドさせることによって、図６に示すように、第１の被係合部４８を、第１の取付部材４１と下部ケース３３の側面３３ｃとの間に形成された溝部４５（第１の係合部４６の溝部）に挿入する。これにより、側面パネル１４の下端部が、レンジフード本体１２から離反しないように左右方向（パネル本体１４ａの板面に垂直な方向）に関して位置決めされ、支持される。
【００３５】
また、図９に示すように、側面パネル１４に取り付けられた下側の爪部材５６における左右一対の爪板５６ｂは、第２の取付部材５１の柱部５２の左右両側に配置され、当該柱部５２を左右両側から挟み込む。これにより、側面パネル１４は柱部５２によっても支持され、左右方向の倒れが防止される。
【００３６】
また、柱部５２に設けられた上側の爪部５２ｃと、爪部材５６の一方の爪部５６ｃとが重ね合わされて一つの爪部を構成する。この爪部５２ｃ、５６ｃが、後述するように前面パネル１３を取り付けるために用いられる。
第１の被係合部４８を第１の係合部４６に係合させた後、図３に示すように、側面パネル１４の後端の第１の折り曲げ板１４ｂを固定ねじ６１で壁面Ｗｂに固定することによって、側面パネル１４の取付が完了する。
【００３７】
以上のように側面パネル１４は、前後方向にスライドさせることによって簡単に所定の位置に位置付けて取り付けることができる。
【００３８】
［前面パネル１３の取付方法］
図１５及び図１６は、前面パネル１３を取り付ける様子を示す斜視図である。図１０及び図１５に示すように、レンジフード本体１２に前面パネル１３を取り付けるには、前面パネル１３を下部ケース３３の前面３３ｄに向けて接近させ（矢印Ｃ参照）、第２の取付部材５１に設けられた爪部５２ｃ（第２の係合部５８）、及び側面パネル１４の前端面から突出する爪部５６ｃ（第２の係合部５８）を、前面パネル１３の裏面側に形成された差し込み孔１３ｄに挿入させる。このとき、前面パネル１３の下面は、フード１１の上面にあり、前面パネル１３をフード１１の上面に沿わせながら後方へ移動させることができる。また、前面パネル１３の上端と天井９との間には、隙間Ｔ１が形成される。そのため、天井９が前面パネル１３の後方への移動の障害になることもなく、天井９を傷つけてしまうこともない。
【００３９】
その後、図１１及び図１６に示すように、前面パネル１３を上方（パネル本体１３ａの板面に沿った方向；矢印Ｄ方向）へスライドさせることによって、差し込み孔１３ｄの下縁部１３ｄ１（第２の被係合部６２）を各爪部５２ｃ，５６ｃ（第２の係合部５８）に形成された溝部５７に挿入する。これにより、前面パネル１３は、前後方向（パネル本体１３ａの板面に垂直な方向）に関して位置決めされる。前面パネル１３を上方へスライドさせると、図１１に示すように、前面パネル１３の下端と、フード１１との間には隙間Ｔ２が形成される。この隙間Ｔ２には、スペーサ部材５５が挿入される。また、前面パネル１３の上端は、天井９に当接するか、わずかな隙間をあけて配置される。
【００４０】
スペーサ部材５５は、板材を屈曲させることにより形成されている。具体的に、スペーサ部材５５は、側面視でコの字状に形成され、フード１１の上面に当接される下当接片５５ａと、前面パネル１３の下面に当接される上当接片５５ｂと、上下の当接片５５ａ，５５ｂの後端同士を接続する接続片５５ｃとを有する。また、スペーサ部材５５は、前面パネル１３の左右方向の幅と略同一の長さに形成されている。スペーサ部材５５の下当接片５５ａの左右方向中央部は、上当接片５５ｂよりも前方に延長されており、この延長部分には、複数の挿通孔５５ｄが形成されている。
【００４１】
図１７は、スペーサ部材５５をフード１１に固定した状態を示す側面断面図である。スペーサ部材５５の下当接片５５ａに形成された挿通孔５５ｄには、固定ねじ５９が挿入され、この固定ねじ５９が、フード１１に設けられた雌ねじ部１１ａに締結されることによってスペーサ部材５５がフード１１に固定される。固定ねじ５９は、フード１１の上側から締め付けることができるので、容易にスペーサ部材５５を固定することが可能となる。また、従来のように、固定ねじを取り付けるために前面パネルに開口等を形成しなくてもよいので、前面パネル１３の外観を損なうこともない。
【００４２】
また、レンジフード本体１２のメンテナンス等のために、前面パネル１３を取り外す場合、固定ねじ５９を取り外してスペーサ部材５５を前方へ引き抜くことで、前面パネル１３が自重により下方へ移動し、爪部５２ｃ、５６ｃ（第２の係合部５８）との係合が解除される。そのため、前面パネル１３を迅速かつ簡単に取り外すことが可能となる。
【００４３】
また、側面パネル１４を取り外す場合は、壁面Ｗｂに固定してある固定ねじ６１（図３参照）を取り外し、側面パネル１４を前方へスライドさせることによって第１の被係合部４８を第１の係合部４６から離脱する。これにより、迅速かつ簡単に側面パネル１４を取り外すことができる。
【００４４】
側面パネル１４は、幅方向の一端面（前端面）が前面パネル１３に突き合わされ、側面パネル１４に設けられた第２の係合部５８（爪部５６ｃ）に前面パネル１３の第２の被係合部６２（差し込み孔１３ｄの下縁部１３ｄ１）が係合される。これにより、側面パネル１４と前面パネル１３とを互いに連結し、相互に支持させることができる。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
上記実施の形態においては、側面パネル１４側に、第１の被係合部４８が設けられ、レンジフード本体１２側に溝部４５を有する第１の係合部４６が設けられていたが、その逆であってもよい。
【００４６】
また、上記実施の形態においては、前面パネル１３側に、第２の被係合部６２が設けられ、レンジフード本体１２側に溝部５７を有する第２の係合部５８が設けられていたが、その逆であってもよい。例えば、図１８に示す変形例では、レンジフード本体１２に取り付けられた第２の取付部材５１の主板５２ａに差し込み孔５２ｄが形成され、前面パネル１３に、後方へ突出する爪部１３ｅが形成されている。爪部１３ｅには、左右方向及び上方に開放し、前後方向及び下方に閉じた溝部５７が形成されている。そして、前面パネル１３を後方へ移動させることによって、爪部１３ｅを差し込み孔５２ｄに挿入し、前面パネル１３を上方へスライドさせることによって、爪部１３ｅの溝部５７に差し込み孔５２ｄの上縁部５２ｄ１を挿入させる。これにより、差し込み孔５２ｄの上縁部５２ｄ１が第２の被係合部６２として構成され、爪部１３ｅが第２の係合部５８として構成される。
【００４７】
上記実施の形態では、側面パネル１４は、前後方向にスライドさせることによって、レンジフード本体１２に取り付けられていたが、前面パネル１３と同様に、上方へスライドさせることによってレンジフード本体１２に取り付けられてもよい。
逆に、前面パネル１３は、上方へスライドさせることによってレンジフード本体１２に取り付けられていたが、左右方向にスライドさせることによってレンジフード本体１２に取り付けられてもよい。但し、レンジフード１０の左右両側又は片側に壁や吊戸棚がある場合には、前面パネル１３を左右にスライドさせることが困難となるため、本実施の形態のように上方へスライドさせることによってレンジフード本体１２に前面パネル１３を取り付けることがより好ましい。
【００４８】
上記実施の形態では、側面パネル１４は、レンジフード本体１２の下部ケース３３に取り付けられた第１の取付部材４１によって、第１の係合部４６が構成されていたが、下部ケース３３に直接的に第１の係合部４６を形成してもよい。例えば、図１９に示す変形例のように、下部ケース３３の側面３３ｃに切り起こし状に第１の係合部４６を形成し、この第１の係合部４６の内側に第１の被係合部４８を挿入するようにしてもよい。ただし、レンジフード本体１２とは別体の第１の取付部材４１を備えることで、レンジフード本体１２の加工を少なくすることができるとともに、第１の取付部材４１の位置調整によって第１の係合部４６の位置を適切に設定することが可能となる。
【符号の説明】
【００４９】
１０      ：レンジフード
１１      ：フード
１２      ：レンジフード本体
１３      ：前面パネル（第２の幕板）
１３ｄ１  ：下縁部
１３ｅ    ：爪部
１４      ：側面パネル（第１の幕板）
１４ｄ    ：突出部
３２      ：ファン
４５      ：溝部
４６      ：第１の係合部
４８      ：第１の被係合部
５７      ：溝部
５８      ：第２の係合部
６２      ：第２の被係合部
【図１】
2018115824.tif 000003
【図２】
2018115824.tif 000004
【図３】
2018115824.tif 000005
【図４】
2018115824.tif 000006
【図５】
2018115824.tif 000007
【図６】
2018115824.tif 000008
【図７】
2018115824.tif 000009
【図８】
2018115824.tif 000010
【図９】
2018115824.tif 000011
【図１０】
2018115824.tif 000012
【図１１】
2018115824.tif 000013
【図１２】
2018115824.tif 000014
【図１３】
2018115824.tif 000015
【図１４】
2018115824.tif 000016
【図１５】
2018115824.tif 000017
【図１６】
2018115824.tif 000018
【図１７】
2018115824.tif 000019
【図１８】
2018115824.tif 000020
【図１９】
2018115824.tif 000021